(57)【特許請求の範囲】
【請求項１】
原子炉格納容器を略水平に貫通してその内外を連通すると共に内外の床面と同じ高さの床レベルを有するエアロック胴両端の区画壁に、それぞれ開口部を形成すると共にそれら各開口部の周縁部に沿って形成された扉枠に、鉛直方向に沿ったヒンジ軸を有するヒンジ部を介して水平方向に開閉するエアロック扉を備えた原子炉格納容器のエアロックにおいて、上記各扉枠の底部上面の高さをそれぞれそのエアロック胴内の床レベルと略同じ高さにすると共に、上記エアロック扉に鉛直方向に沿って上下一対の支持ブラケットを上記ヒンジ軸から離れた位置に設け、上記ヒンジ軸に水平方向に延びる上下一対のヒンジアームを設け、該ヒンジアームの先端に上記支持ブラケットの連結ロッドを貫通支持して上記エアロック扉を上記ヒンジ部に対して昇降自在に取り付け、そのヒンジ部にエアロック扉を昇降するための扉昇降機構を一体に設け、該扉昇降機構は、上記エアロック扉の幅方向に沿って水平に軸支されたネジロッドと、このネジロッドに螺合され下端部が該ネジロッドと平行に延びるレールに係合されて水平方向に移動するスライダーと、下端側がこのスライダー側に揺動自在に軸支されると共に上端側に転動自在なローラーを有するリフトアームと、上記上部の支持ブラケットの下方で上記レールに対し垂直になるように、且つ上記ローラーを上記支持ブラケットの下面に当接するように設けられると共にそのローラーを上下方向に転動させて、上記支持ブラケットを上記スライダー及びリフトアームを介して昇降させるための当て板とを備えたことを特徴とする原子炉格納容器のエアロック。
【発明の詳細な説明】
【０００１】
【発明の属する技術分野】
本発明は、原子炉格納容器内に作業員等が出入りするためのエアロックに関するものである。
【０００２】
【従来の技術】
一般に係る従来のエアロックは、図４に示すように、原子炉格納容器のコンクリート壁Ａ等を略水平に貫通してその内外を連通する筒状のエアロック胴１の両端にそれぞれ区画壁２，２を備え、これら各区画壁２，２の略中央部に矩形状の開口部３，３を有すると共にそれら各開口部３，３の扉枠４，４にそれぞれ容器内方向に開閉する縦長矩形状のエアロック扉５，５を備えた構造となっている。
そして、通常時にはこれら内外一対のエアロック扉５，５によって容器内を二重に密閉すると共に、作業員が容器内に出入りする場合には、図示しない開閉機構によっていずれか一方のエアロック扉５のみを交互に開くようにすることで作業員の出入りに際しても容器内が開放されることなく、常に高い密閉性が確保できるような構造となっている。
【０００３】
【発明が解決しようとする課題】
ところで、このような構造をした従来のエアロックは、その扉枠４，４底部の高さがそのエアロック胴１内の床レベルＬよりもかなり高くなっているため、その位置に大きな段差が生じ、これが作業員の出入りの際の邪魔となったり、台車等の搬出入を著しく困難にしている要因となっている。
【０００４】
そのため、その扉枠４，４底部の高さを低くしてそのエアロック胴１内の床レベルＬと略同じ高さにすることで係る不都合を招く段差を無くすことができるが、そうすると水平方向に揺動するエアロック扉５，５の下部がエアロック胴１内の床面や容器内の床面と干渉してしまい、その開閉が全く不可能となってしまう。
【０００５】
すなわち、このエアロック扉５は、図５に示すようにその周縁部に沿って設けられたシール部材Ｓを扉枠４側に圧着させるようにすることでその開口部３を密閉するようになっている。そのため、少なくともこの開口部３よりも上下左右方向に広がった大きさに形成する必要があり、仮にこのエアロック扉５の底部の高さを床レベルＬと同じ高さにすると扉枠４底部のシール機能が全く発揮できなくなってしまうからである。
【０００６】
尚、このエアロック扉５，５の開閉方向は耐圧性の都合上、図示するようにいずれも容器側方向とする必要があり、その開閉方向を変えることは適当ではない。
【０００７】
そこで、本発明はこのような課題を有効に解決するために案出されたものであり、その目的は、床面と扉枠との段差を無くしてもシール機能を損なうことなく扉の開閉を自在に行うことができる新規な原子炉圧力容器のエアロックを提供するものである。
【０００８】
【課題を解決するための手段】
上記課題を解決するために本発明は、請求項１に示すように、原子炉格納容器を略水平に貫通してその内外を連通すると共に内外の床面と同じ高さの床レベルを有するエアロック胴両端の区画壁に、それぞれ開口部を形成すると共にそれら各開口部の周縁部に沿って形成された扉枠に、鉛直方向に沿ったヒンジ軸を有するヒンジ部を介して水平方向に開閉するエアロック扉を備えた原子炉格納容器のエアロックにおいて、上記各扉枠の底部上面の高さをそれぞれそのエアロック胴内の床レベルと略同じ高さにすると共に、上記エアロック扉に鉛直方向に沿って上下一対の支持ブラケットを上記ヒンジ軸から離れた位置に設け、上記ヒンジ軸に水平方向に延びる上下一対のヒンジアームを設け、該ヒンジアームの先端に上記支持ブラケットの連結ロッドを貫通支持して上記エアロック扉を上記ヒンジ部に対して昇降自在に取り付け、そのヒンジ部にエアロック扉を昇降するための扉昇降機構を一体に設け、該扉昇降機構は、上記エアロック扉の幅方向に沿って水平に軸支されたネジロッドと、このネジロッドに螺合され下端部が該ネジロッドと平行に延びるレールに係合されて水平方向に移動するスライダーと、下端側がこのスライダー側に揺動自在に軸支されると共に上端側に転動自在なローラーを有するリフトアームと、上記上部の支持ブラケットの下方で上記レールに対し垂直になるように、且つ上記ローラーを上記支持ブラケットの下面に当接するように設けられると共にそのローラーを上下方向に転動させて、上記支持ブラケットを上記スライダー及びリフトアームを介して昇降させるための当て板とを備えたものである。
【０００９】
このように先ず扉枠底部の高さをそれぞれそのエアロック胴内外の床レベルと略同じ高さにすることでその付近の段差が無くなって作業員や台車等の出入りが極めて容易となる。また、このように扉枠底部の高さを下げるとエアロック扉の位置も下がるが、本発明はこのエアロック扉を扉昇降機構によってヒンジ部に対して昇降自在に取り付けたため、開閉の際にこのエアロック扉を昇降させることで床面に干渉することなく容易に開閉を行うことが可能となる。さらに、このエアロック扉を閉める際には、エアロック扉を所定の位置に降下させることでエアロック扉と扉枠が確実に当接されるため、健全なシール機能を維持することができる。
【００１０】
そして、この扉昇降機構としては、上記エアロック扉の幅方向に沿って水平に軸支されたネジロッドと、このネジロッドに螺合され下端部が該ネジロッドと平行に延びるレールに係合されて水平方向に移動するスライダーと、下端側がこのスライダー側に揺動自在に軸支されると共に上端側に転動自在なローラーを有するリフトアームと、上記上部の支持ブラケットの下方で上記レールに対し垂直になるように、且つ上記ローラーを上記支持ブラケットの下面に当接するように設けられると共にそのローラーを上下方向に転動させて、上記支持ブラケットを上記スライダー及びリフトアームを介して昇降させるための当て板とを備えたものを用いることでこのエアロック扉の昇降を確実に行うことができる。
【００１１】
【発明の実施の形態】
次に、本発明を実施する好適一形態を添付図面を参照しながら説明する。
【００１２】
図１は、本発明に係るエアロックの実施の一形態を示したものであり、図中１は、前述したように原子炉格納容器の内外を連通すべく円筒状をしたエアロック胴、２はそのエアロック胴１の端面を塞ぐように区画する区画壁、４はその区画壁２の開口部３周縁部に沿って形成された縦長矩形状の扉枠、５はその扉枠４に当接してこれを開閉する縦長矩形状の鋼鉄製のエアロック扉である。
【００１３】
先ず、この扉枠４はその底部高さ位置がエアロック胴１内の床面及び格納容器内外の床面の高さと略同じ高さ位置に形成されており、その扉枠４底部と床面との間には段差が殆どないフラットな状態となっている。
【００１４】
次に、エアロック扉５は、区画壁２側に固定されたヒンジ部６によって支持されており、そのヒンジ部６のヒンジ軸７を軸として水平方向に回動自在となっている。すなわち、このエアロック扉５側には上下一対の支持ブラケット８，８が一体的に設けられており、これら各支持ブラケット８，８に対してヒンジ軸７側から延びる上下一対のヒンジアーム９，９がそれぞれ係合することでエアロック扉５が区画壁２側から支持されると共に、そのヒンジ部６に付設された電動モーター１０及び歯車機構１１によってそのエアロック扉５全体がヒンジ軸７を軸として水平方向に回動することで開口部３を自在に開閉するような構造となっている。
【００１５】
この支持ブラケット８は、エアロック扉５の表面より水平に突出した上下一対のブラケット部材１２，１２間を連結ロッド１３で上下に連結したものであり、この連結ロッド１３に対して上記ヒンジ部６のヒンジアーム９先端が貫通して支持されるようになっている。
【００１６】
また、図示するように、このブラケット部材１２，１２の上下間隔は、ヒンジアーム９の上下幅よりもかなり広く設定されており、その広くなっている分だけエアロック扉５の上下動を許容するようになっている。
【００１７】
すなわち、本発明に係るエアロック扉５は、ヒンジ部６によって回動自在に支持されているだけでなく、ヒンジ部６や扉枠４等に対してブラケット部材１２，１２の間隔からヒンジアーム９の上下幅を引いた分だけ上下方向に移動（昇降）自在となっている。尚、このヒンジアーム９の先端にはさらに補助アーム１４が設けられており、その先端がさらに支持ブラケット８と同じ構成をした補助ブラケット１５側に係合することでヒンジ部６に対するエアロック扉５の揺動や回転が抑えられるようになっている。
【００１８】
また、図示するように、このヒンジ部６には、いわゆるジャッキ形式の扉昇降機構１６が一体的に設けられている。
【００１９】
この扉昇降機構１６は、図１及び図２に示すように、エアロック扉５の幅方向に沿って水平にベアリング軸支されたネジロッド１８と、このネジロッド１８に沿って水平方向に移動するスライダー１９と、下端側がこのスライダー１９側に揺動自在に軸支されると共に上端側が上記エアロック扉５の支持ブラケット８側に係合するリフトアーム２０とを主に備えたものであり、図２及び図３に示すように、このネジロッド１８をモータ２２から駆動チェーン２１を介して回転駆動させ、これに螺合しているスライダー１９を水平移動させてリフトアーム２０を起立させ、支持ブラケット８のブラケット部材１２を押し上げることでエアロック扉５をヒンジ部６に係合した状態で全体をそのまま垂直に上昇させるようになっている。すなわち、このリフトアーム２０は、その一端がスライダー１９側に揺動自在にピン結合され、他端側に転動自在のローラー２３が軸支された構造となっており、このローラー２３がスライダー１９の移動（図中左側）に伴って垂直の当て板２６に沿って上昇した後、ブラケット部材１２の下面側に達し、そのままブラケット部材１２を下方から持ち上げるように作用することで重量が２〜３トンの鋼鉄製の堅牢なエアロック扉５であっても容易かつ確実に上昇させることができるようになっている。また、このような状態からスライダー１９を反対方向に移動させてリフトアーム２０を徐々に倒すことでエアロック扉５全体を自重によってゆっくりと降下させて元の位置に戻すようになっている。尚、このスライダー１９は、その下端部がネジロッド１８と平行に延びるレール２４に係合されており、ネジロッド１８の回転に伴って共回りしないようになっている。
【００２０】
また、このネジロッド１８の他端部には駆動チェーン２５を介して扉ロック機構１７が設けられており、エアロック扉５を扉枠４に当接して閉じた後に、これを扉枠４側に固定するようになっている。尚、この扉ロック機構１７の構造は、従来と同様であり、その説明は省略する。
【００２１】
そして、このような構造をした本発明のエアロックにあっては、先ず、前述したような従来のエアロックと異なり、扉枠４の底部高さが、エアロック胴１内は勿論、格納容器内外の床面の高さと略同じ高さ位置に形成されてその位置には段差が殆どない状態となっていることから、作業員の出入りが容易となる上に、車輪を備えた台車等の出入りも可能となって作業員のみならず荷物等の搬出入も容易に行うことができる。
【００２２】
また、エアロック扉５自体がヒンジ部６に対して昇降自在となっているため、扉枠４の底部位置を下げてもエアロック扉５が床面Ｌに対して全く干渉しなくなり、エアロック扉５の開閉を確実に行うことが可能となる。加えて、エアロック扉５を閉じる際には、開口部３の扉枠４に対して確実に当接させることができるため、エアロック扉５と扉枠４とのシール機能を損なうこともない。
【００２３】
すなわち、このエアロック扉５を開く際には、扉昇降機構１６によってエアロック扉５をそのまま垂直に上昇させた後に回動させることによって床面と干渉させることなくエアロック扉５を開くことができ、反対に、エアロック扉５を閉じる際には、エアロック扉５を扉枠４側に戻した後に扉昇降機構１６によってそのまま垂直に降下させてからロックすることによってエアロック扉５周縁部のシール部材を扉枠４に対して完全に当接させることができ、完全なシール機能を発揮することが可能となる。
【００２４】
また、本発明に係る扉昇降機構１６は、ネジロッド１８を利用したジャッキ方式のものであるため、重量が２〜３トンといった大重量のエアロック扉５であっても少ない動力で確実に昇降させることができると共に、エアロック扉５を昇降するリフトアーム２０自体がつっかえ棒の役目を果たすため、開閉の際にエアロック扉５が自重により落下する等といった不都合を確実に回避することも可能となる。
【００２５】
【発明の効果】
以上要するに本発明によれば、エアロック扉を自在に昇降することができるため、扉枠の高さを下げてもエアロック扉が床面に干渉することなくその開閉を自在に行うことができる。この結果、扉枠と床面との段差が無くなって作業員の出入りが容易となると共に、従来構造では困難であった台車等の搬出入も可能となり、点検作業等の際の労力の軽減と作業効率の向上に大いに貢献することが可能となる等といった優れた効果を発揮することができる。
【図面の簡単な説明】
【図１】本発明に係るエアロックの実施の一形態を示す正面図である。
【図２】扉昇降機構の実施の一形態（扉降下時）を示す説明図である。
【図３】扉昇降機構の実施の一形態（扉上昇時）を示す説明図である。
【図４】従来のエアロックの構造を示す縦断面図である。
【図５】図４中Ｂ部を示す拡大図である。
【符号の説明】
１  エアロック胴
２  区画壁
３  開口部
４  扉枠
５  エアロック扉
６  ヒンジ部
16  扉昇降機構
18  ネジロッド
19  スライダー
20  リフトアーム
【図１】
0004581222.tif 000002
【図２】
0004581222.tif 000003
【図３】
0004581222.tif 000004
【図４】
0004581222.tif 000005
【図５】
0004581222.tif 000006